(57)【要約】【課題】この発明は、ハイビジョン放送から自動的に疑似１６対９放送を検出し、疑似１６対９放送の場合はサイドパネルの一部をカットして表示し、ハイビジョン放送が１６対９放送の場合はサイドパネルをカットすることなく１６対９画面の映像信号を出力する放送受信装置を提供することを目的としている。【解決手段】  サイドパネルを検出（５）してハイビジョン放送が擬似１６：９画面放送であるか否かを判別する手段（７）と、受信されたハイビジョン放送が擬似１６：９画面放送である場合はサイドパネルの一部をカットして出力、ハイビジョン放送が擬似１６：９画面放送ではない場合はハイビジョン放送を出力する。【選択図】  図１
2005065194.tif 000002
【特許請求の範囲】
【請求項１】
ハイビジョン放送を受信する放送受信手段と、
擬似１６：９画面で放送される放送に含まれるサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するサイドパネルカット映像信号出力手段と、
受信されたハイビジョン放送が擬似１６：９画面放送ではないと判断された場合は受信されたハイビジョン放送を出力するハイビジョン放送出力手段を備えることを特徴とする放送受信装置。
【請求項２】
ハイビジョン放送を受信する放送受信手段と、
擬似１６：９画面で放送される放送に含まれるサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するサイドパネルカット映像信号出力手段と、
前記サイドパネルの一部がカットされ、一部が残された映像信号を受信し伸張処理を施して１６：９画面の映像信号を出力する伸張処理手段と、
受信されたハイビジョン放送が擬似１６：９画面放送ではないと判断された場合は受信されたハイビジョン放送を出力するハイビジョン放送出力手段を備えることを特徴とする放送受信装置。
【請求項３】
ハイビジョン放送を受信する放送受信手段と、
擬似１６：９画面で放送される放送に含まれるサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するサイドパネルカット映像信号出力手段と、
受信されたハイビジョン放送が擬似１６：９画面放送であると判断された場合は擬似１６：９画面放送である旨の表示を行う表示信号を出力する擬似１６：９表示信号出力手段と、
受信されたハイビジョン放送が擬似１６：９画面放送ではないと判断された場合は受信されたハイビジョン放送を出力するハイビジョン放送出力手段を備えることを特徴とする放送受信装置。
【請求項４】
ハイビジョン放送を受信する放送受信手段と、
前記受信されたハイビジョン放送を映像信号として一時的に記憶する第１のメモリと、
前記第１のメモリに一時的に記憶された映像信号から擬似１６：９画面で放送される放送に含まれるサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合はこの擬似１６：９画面のハイビジョン放送を映像信号として一時的に記憶する第２のメモリと、
前記第２のメモリに一時的に記憶された映像信号から擬似１６：９画面の放送に含まれるサイドパネルをカットしてサイドパネルの一部がカットされ、一部が残された映像信号を出力するサイドパネルカット映像信号出力手段と、
前記サイドパネルの一部がカットされ、一部が残された映像信号を受信し１６：９画面の映像信号に伸張処理を施して出力する伸張処理手段と、
受信されたハイビジョン放送が擬似１６：９画面放送ではないと判断された場合は受信されたハイビジョン放送を出力するハイビジョン放送出力手段を備えることを特徴とする放送受信装置。
【請求項５】
ハイビジョン放送を受信する放送受信手段と、
前記受信されたハイビジョン放送を映像信号として一時的に記憶するメモリと、
前記メモリに一時的に記憶された映像信号から擬似１６：９画面で放送される放送に含まれるサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合はこの擬似１６：９画面のハイビジョン放送からサイドパネルをカットしてサイドパネルの一部がカットされ、一部が残された映像信号を出力するサイドパネルカット映像信号出力手段と、
前記サイドパネルの一部がカットされ、一部が残された映像信号を受信し１６：９画面の映像信号に伸張処理を施して出力する伸張処理手段と、
受信されたハイビジョン放送が擬似１６：９画面放送ではないと判断された場合は受信されたハイビジョン放送を出力するハイビジョン放送出力手段を備えることを特徴とする放送受信装置。
【請求項６】
前記出力された映像信号またはハイビジョン放送を表示する表示手段をさらに備えることを特徴とする請求項１乃至５に記載の放送受信装置。
【請求項７】
デジタル放送信号で放送されるハイビジョン放送を受信する放送受信手段と、
前記受信されたハイビジョン放送にデコード処理を施して映像信号に変換して出力するデコード手段と、
前記出力された映像信号を受信し、この映像信号に含まれる擬似１６：９画面放送のサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するサイドパネルカット映像信号出力手段と、
受信されたハイビジョン放送が擬似１６：９画面放送ではないと判断された場合は受信されたハイビジョン放送を出力するハイビジョン放送出力手段を備えることを特徴とするデジタル放送受信装置。
【請求項８】
前記出力された映像信号またはハイビジョン放送を表示する表示手段をさらに備えることを特徴とする請求項７に記載のデジタル放送受信装置。
【請求項９】
前記第１の領域は表示画面の外側に配置され、前記第２の領域は前記第１の領域に対して表示画面の内側に配置されることを特徴とする請求項１乃至８に記載の放送受信装置またはデジタル放送受信装置。
【請求項１０】
ハイビジョン放送を受信するステップと、
擬似１６：９画面で放送される放送に含まれるサイドパネルを検出することによって前
記受信されたハイビジョン放送が擬似１６：９画面放送であるか否かを判別するステップと、
受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するステップと、
受信されたハイビジョン放送が擬似１６：９画面放送ではないと判断された場合は受信されたハイビジョン放送を出力するステップを備えることを特徴とする放送受信方法。
【請求項１１】
ハイビジョン放送を受信するステップと、
擬似１６：９画面で放送される放送に含まれるサイドパネルを検出することによって前記受信されたハイビジョン放送が擬似１６：９画面放送であるか否かを判別するステップと、
受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するステップと、
受信されたハイビジョン放送が擬似１６：９画面放送であると判断された場合は擬似１６：９画面放送である旨の表示を行う表示信号を出力する擬似１６：９表示信号出力手段と、
受信されたハイビジョン放送が擬似１６：９画面放送ではないと判断された場合は受信されたハイビジョン放送を出力するステップを備えることを特徴とする放送受信方法。
【請求項１２】
ハイビジョン放送を受信するステップと、
擬似１６：９画面で放送される放送に含まれるサイドパネルを検出することによって前記受信されたハイビジョン放送が擬似１６：９画面放送であるか否かを判別するステップと、
受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するステップと、
前記サイドパネルの一部がカットされ、一部が残された映像信号を受信し１６：９画面の映像信号に伸張処理を施して出力するステップと、
受信されたハイビジョン放送が擬似１６：９画面放送ではないと判断された場合は受信されたハイビジョン放送を出力するステップを備えることを特徴とする放送受信方法。
【請求項１３】
ハイビジョン放送を受信するステップと、
前記受信されたハイビジョン放送を映像信号として一時的に記憶するステップと、
前記第１のメモリに一時的に記憶された映像信号から擬似１６：９画面で放送される放送に含まれるサイドパネルを検出することによって前記受信されたハイビジョン放送が擬似１６：９画面放送であるか否かを判別するステップと、
受信されたハイビジョン放送が擬似１６：９画面放送であると判断された場合はこの擬似１６：９画面のハイビジョン放送を映像信号として一時的に記憶するステップと、
前記第２のメモリに一時的に記憶された映像信号から擬似１６：９画面の放送に含まれるサイドパネルをカットしてサイドパネルの一部がカットされ、一部が残された映像信号を出力するステップと、
前記サイドパネルの一部がカットされ、一部が残された映像信号を受信し１６：９画面の映像信号に伸張処理を施して出力するステップと、
受信されたハイビジョン放送が擬似１６：９画面放送ではないと判断された場合は受信されたハイビジョン放送を出力するステップを備えることを特徴とする放送受信方法。
【請求項１４】
ハイビジョン放送を受信するステップと、
前記受信されたハイビジョン放送を映像信号として一時的に記憶するステップと、
前記メモリに一時的に記憶された映像信号から擬似１６：９画面で放送される放送に含まれるサイドパネルを検出することによって前記受信されたハイビジョン放送が擬似１６：９画面放送であるか否かを判別するステップと、
受信されたハイビジョン放送が擬似１６：９画面放送であると判断された場合はこの擬似１６：９画面のハイビジョン放送からサイドパネルをカットしてサイドパネルの一部がカットされ、一部が残された映像信号を出力するステップと、
前記サイドパネルの一部がカットされ、一部が残された映像信号を受信し１６：９画面の映像信号に伸張処理を施して出力するステップと、
受信されたハイビジョン放送が擬似１６：９画面放送ではないと判断された場合は受信されたハイビジョン放送を出力するステップを備えることを特徴とする放送受信方法。
【請求項１５】
デジタル放送信号で放送されるハイビジョン放送を受信する放送受信手段と、
前記受信されたハイビジョン放送にデコード処理を施して映像信号に変換して出力するステップと、
前記出力された映像信号を受信し、この映像信号に含まれる擬似１６：９画面放送のサイドパネルを検出することによって前記受信されたハイビジョン放送が擬似１６：９画面放送であるか否かを判別するステップと、
受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するステップと、
受信されたハイビジョン放送が擬似１６：９画面放送ではないと判断された場合は受信されたハイビジョン放送を出力するステップを備えることを特徴とするデジタル放送受信方法。
【発明の詳細な説明】
【技術分野】
【０００１】
この発明は、ハイビジョン放送を受信する放送受信装置に関する。また、この発明は、デジタル放送で放送されるハイビジョン放送を受信する放送受信装置に関する。
【背景技術】
【０００２】
現在、ハイビジョン放送を受信する放送受信装置が製品化されている。ハイビジョン放送は表示画面のアスペクト比が１６：９となるように構成されている。
【０００３】
また、デジタル放送で放送されるハイビジョン放送においては、表示画面のアスペクト比は１６：９で構成されているものの、放送番組は全てアスペクト比が１６：９で構成されているとは限らず、１６：９画面の中にアスペクト比４：３の映像が表示され、その両サイドには黒または柄模様の映像が付加されて表示されていた。
【０００４】
以下、このハイビジョン放送画面におけるアスペクト比４：３映像の両サイドに表示される黒等の映像をサイドパネルと称する。また、上記アスペクト比４対３の両サイドにサイドパネルを配置してアスペクト比１６：９として放送される放送を擬似１６：９の放送、映像を擬似１６：９の映像、画面を擬似１６：９の画面と称する。
【０００５】
特許文献１には、この擬似１６：９放送を受信し、サイドパネルをカットする処置を施してして表示する技術が開示されている。しかしながら、この特許文献１では、視聴する放送が疑似１６：９放送であるかを視聴者自身が判断する必要があり、疑似１６対９放送が始まった時点で、視聴者がリモコン等を操作してサイドパネルをカットして表示していた。また、特許文献１の技術では、放送が１６対９放送から擬似１６：９放送に切り換わった場合は、視聴者自身がこれに気付かないと処置が保持されることになる。これについては何らの記載もされていない。
【特許文献１】特開２００１−８１２８号公報
【発明の開示】
【発明が解決しようとする課題】
【０００６】
そこで、この発明は上記事情を考慮してなされたもので、ハイビジョン放送から自動的に疑似１６対９放送を検出し、疑似１６対９放送の場合はサイドパネルの一部をカットして一部を残して表示し、ハイビジョン放送が１６対９放送の場合はサイドパネルをカットすることなく１６対９画面の映像信号を出力する放送受信装置を提供することを目的とする。
【課題を解決するための手段】
【０００７】
この発明に係る放送受信装置は、ハイビジョン放送を受信する放送受信手段と、擬似１６：９画面で放送される放送に含まれるサイドパネルを検出することによって前記受信されたハイビジョン放送が擬似１６：９画面放送であるか否かを判別する擬似１６：９放送判別手段と、受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するサイドパネルカット映像信号出力手段と、受信されたハイビジョン放送が擬似１６：９画面放送ではないと判断された場合は受信されたハイビジョン放送を出力するハイビジョン放送出力手段を備えるように構成するものである。
【０００８】
また、この発明に係る放送受信方法は、ハイビジョン放送を受信するステップと、擬似１６：９画面で放送される放送に含まれるサイドパネルを検出することによって前記受信されたハイビジョン放送が擬似１６：９画面放送であるか否かを判別するステップと、受信されたハイビジョン放送が擬似１６：９画面放送であると判断された場合は前記検出されたサイドパネルから第１の領域をカットし、第２の領域を残してサイドパネルの一部がカットされ、一部が残された映像信号を出力するステップと、受信されたハイビジョン放送が擬似１６：９画面放送ではないと判断された場合は受信されたハイビジョン放送を出力するステップを備えるように構成するものである。
【発明の効果】
【０００９】
上記した構成によれば、  ハイビジョン放送から疑似１６対９放送を検出し、疑似１６対９放送の場合はサイドパネルの一部をカットし、一部を残して表示し、ハイビジョン放送が１６対９放送の場合はサイドパネルをカットすることなく１６対９画面の映像信号を出力するようにしたので、視聴者自身が放送を監視し、放送が疑似１６：９放送であるか否かを判断する必要がなくなる。また、疑似１６対９放送を受信してサイドパネルをカットした映像を表示する場合においても、視聴者は放送が疑似１６：９放送であることを容易に確認することが可能となる。このため、視聴者の利便性を向上させることが可能となる。
【発明を実施するための最良の形態】
【００１０】
以下、この発明の実施の形態について図面を参照して詳細に説明する。図１はこの発明の実施の形態を示すもので、放送受信装置の概略を示す図である。
【００１１】
符号１はアンテナ、２はチューナ、３はＯＦＤＭ復調部、４はＭＰＥＧ復調部、５はサイドパネル検出部、６はサイドパネルカット部、７はＣＰＵ、８は映像出力部、９はモニタ、１０はデジタル放送受信装置である。
【００１２】
放送局からデジタル放送で放送されたハイビジョン放送がアンテナ１で受信出力される。アンテナ１から出力された放送はチューナ２で受信され、所定の周波数（放送局）が選局されて出力される。チューナ２から出力された放送はＯＦＤＭ復調部３で受信され、ＯＦＤＭ復調処理が施されて、ＯＦＤＭ復調処理が施された映像信号が出力される。ＯＦＤＭ復調部３から出力されたＯＦＤＭ復調処理が施された映像信号はＭＰＥＧ復調部４で受信され、ＭＰＥＧ２の復調処理が施されて、ＭＰＥＧ２復調処理が施された映像信号が出力される。
【００１３】
ＭＰＥＧ復調部４から出力された映像信号はサイドパネル検出部５で受信される。サイドパネル検出部５はＣＰＵ７で制御される。サイドパネル検出部５は、例えばフィールドメモリを備えており、ＭＰＥＧ復調部４から出力された映像信号を一時的に、１フィールド分記憶する。ここでは、フィールドメモリに記憶された映像信号から、番組が擬似１６：９画面で放送された場合の上記サイドパネルに相当する部分について黒や暗い色の検出を行う。または、静止画の検出を行う。この検出結果はＣＰＵ７に送信される。また、映像信号はサイドパネルカット部６へ出力される。
【００１４】
ＣＰＵ７は、黒や暗い色が、１フィールド分でサイドパネルに相当する部分について検出されるとサイドパネルが配置されていると判断し、擬似１６：９画面で放送される放送であると判断する。擬似１６：９画面のサイドパネルに相当する部分でサイドパネルが検出されない場合は擬似１６：９画面ではない（１６：９放送である）と判断する。すなわち、擬似１６：９画面で放送される放送に含まれるサイドパネルを検出することによって前記受信されたハイビジョン放送が擬似１６：９画面放送であるか否かを判別する。
【００１５】
サイドパネルカット部６はサイドパネル検出部５から出力された映像信号を受信する。サイドパネルカット部６はＣＰＵ７に制御される。サイドパネルカット部６は、例えばフィールドメモリを備えており、サイドパネル検出部５から出力された映像信号を一時的に記憶する。
【００１６】
ここでは、フィールドメモリに記憶された映像信号から、番組が擬似１６：９画面で放送された場合の上記サイドパネルの一部（第１の領域）をカットし、一部（第２の領域）を残すカット処理を行う。
【００１７】
図２は、この発明の実施の形態を示すもので、擬似１６：９放送の画面を示す図である。
【００１８】
すなわち、受信されたハイビジョン放送が擬似１６：９画面放送であると判断された場合は、図２に示すように、検出された擬似１６：９画面の放送からサイドパネルをカットして、サイドパネルの一部がカットされ、一部が残された映像信号を出力する。また、ＣＰＵ７が擬似１６：９画面放送ではないと判断した場合は、サイドカット処理を施さずに出力する。
【００１９】
図１に戻り、説明を続ける。サイドパネルカット部６から出力されたサイドパネルの一部がカットされ、一部が残された映像信号は映像出力部８で受信される。映像出力部８は上記サイドパネルの一部がカットされ、一部が残された映像信号を受信した場合は、特に図示しないが、ＣＰＵ７に制御されて伸張処理を施して出力する。１６：９画面放送は、サイドカット処理を施さずに出力する
映像出力部８から出力された映像信号はモニタで受信され、表示される。
【００２０】
デジタル放送受信装置１０は、チューナ２、ＯＦＤＭ復調部３、ＭＰＥＧ復調部４、サイドパネル検出部５、サイドパネルカット部６、ＣＰＵ７、映像出力部８、モニタ９を構成している。
【００２１】
図２は、この発明の実施の形態を示すもので、擬似１６：９放送の画面を示す図である。図に示すように擬似１６：９放送画面は横×縦のアスペクト比が１６：９の画面で構成される。
【００２２】
符号１１ａ、符号３１ａ、符号１１ｂ、符号３１ｂはサイドパネルである。符号１２はアスペクト比が４：３の放送画面である。上記説明したように、このサイドパネル（符号１１ａ、符号３１ａ、符号１１ｂ、符号３１ｂ）が、サイドパネル検出部５で受信され、検出される。ここで、符号３１ａ、符号３１ｂは第１の領域である。符号１１ａ、符号１１ｂは第２の領域である。
【００２３】
このとき、第１の領域（サイドパネル３１ａ、３１ｂ）は表示画面の外側に配置されている。また、第２の領域（サイドパネル１１ａ、１１ｂ）は第１の領域に対して表示画面の内側に配置されている。
【００２４】
図３は、この発明の実施の形態を示すもので、擬似１６：９放送の画面からサイドパネルの一部をカットし、一部を残した表示画面を示す図である。上記と同様の構成については同一の符号を付して説明を省略する。
【００２５】
上記説明したように、擬似１６：９放送の画面からサイドパネル（１１ａ、１１ｂ、３１ａ、３１ｂ）が検出されると、サイドパネルカット部６で第１の領域（サイドパネル３
１ａ、３１ｂ）をカットし、第２の領域（サイドパネル１１ａ、１１ｂ）を残す処理を行う。そして、サイドパネルカット部６で、この第１の領域（サイドパネル３１ａ、３１ｂ）がカットされ、第２の領域（サイドパネル１１ａ、１１ｂ）残されて、映像信号が出力される。
【００２６】
映像信号出力部８は、この映像信号を受信し、伸張処理を施して出力する。
【００２７】
符号２１ａ、符号２２ｂは擬似１６：９放送の画面からサイドパネルの一部を残して伸張処理が施された領域である。
【００２８】
擬似１６：９放送の画面に比べてサイドパネルの表示が小さくなっており、視聴者に違和感を与えずかつ、擬似１６：９放送を受信していることを知らせることができる。
【００２９】
図４は、この発明の実施の形態を示すもので、擬似１６：９放送を受信している旨を示す表示例を示す図である。
【００３０】
符号２２は擬似１６：９放送を受信している旨を示す表示の例であり、例えばＣＰＵ７で制御される図示しないキャラクタジェネレータによって表示信号が生成される。この表示は例えば視聴者のリモコン操作等によってオン・オフ表示されるように構成されてもよい。
【００３１】
図５は、この発明の実施の形態を説明するフローチャートである。
【００３２】
符号Ｓ１０１はスタートステップである。続いて符号Ｓ１０２を付したステップへ進む。
【００３３】
符号Ｓ１０２はデジタル放送で放送されるハイビジョン放送を受信するステップである。続いて符号Ｓ１０３を付したステップへ進む。
【００３４】
符号Ｓ１０３はハイビジョン放送をフィールドメモリへ記憶するステップである。続いて符号Ｓ１０４を付したステップへ進む。
【００３５】
符号Ｓ１０４は上記検出のように放送が擬似１６：９であるか否かを判断するステップである。放送が擬似１６：９であると判断された場合は符号Ｓ１０５を付したステップへ進む（Ｙｅｓ）。放送が擬似１６：９でではないと判断された場合は符号Ｓ１０８を付したステップへ進む（Ｎｏ）。
【００３６】
符号１０５はハイビジョン放送をフィールドメモリへ記憶するステップである。続いて符号Ｓ１０６を付したステップへ進む。
【００３７】
符号Ｓ１０６はフィールドメモリに記憶された擬似１６：９放送のサイドパネルの一部をカットし、一部を残すステップである。続いて符号Ｓ１０７を付したステップへ進む。
【００３８】
符号Ｓ１０７は上記一部が残されたサイドパネル＋４：３映像１２を１６：９映像に伸張処理するステップである。続いて符号Ｓ１０８を付したステップへ進む。
【００３９】
符号Ｓ１０８は、上記のように１６：９映像に伸張処理された映像信号または上記のようにサイドパネルカットされない１６：９放送を出力するステップである。続いて符号Ｓ１０９を付したステップへ進む。
【００４０】
符号Ｓ１０９は終了ステップであり、ここでの処理は終了する。
【００４１】
図６はこの発明の、他の実施の形態を説明するフローチャートである。
【００４２】
符号Ｓ１０１はスタートステップである。続いて符号Ｓ１０２を付したステップへ進む。
【００４３】
符号Ｓ１０２はデジタル放送で放送されるハイビジョン放送を受信するステップである。続いて符号Ｓ１０３を付したステップへ進む。
【００４４】
符号Ｓ１０３はハイビジョン放送をフィールドメモリへ記憶するステップである。続いて符号Ｓ１０４を付したステップへ進む。
【００４５】
符号Ｓ１０４は上記検出のように放送が擬似１６：９であるか否かを判断するステップである。放送が擬似１６：９であると判断された場合は符号Ｓ１０５を付したステップへ進む（Ｙｅｓ）。放送が擬似１６：９でではないと判断された場合は符号Ｓ１０８を付したステップへ進む（Ｎｏ）。
【００４６】
符号Ｓ１０６はフィールドメモリに記憶された擬似１６：９放送のサイドパネルの一部をカットし、一部を残すステップである。続いて符号Ｓ１０７を付したステップへ進む。
【００４７】
符号Ｓ１０７は上記一部が残されたサイドパネル＋４：３映像１２を１６：９映像に伸張処理するステップである。続いて符号Ｓ１０８を付したステップへ進む。
【００４８】
符号Ｓ１０８は、上記のように１６：９映像に伸張処理された映像信号または上記のようにサイドパネルカットされない１６：９放送を出力するステップである。続いて符号Ｓ１０９を付したステップへ進む。
【００４９】
符号Ｓ１０９は終了ステップであり、ここでの処理は終了する。
【００５０】
すなわち、ここではフィールドメモリに記憶されたハイビジョン放送を用いて、擬似１６：９放送の判断と上記サイドパネルカット処理を連続的に行うようにしたものである。
【００５１】
図７はこの発明の、他の実施の形態を示すもので、放送受信装置の概略を示す図である。
【００５２】
上記説明と同一の構成については同一の符号を付して説明を省略する。
【００５３】
符号２０はＳＴＢ（セットトップボックス）である。すなわちＳＴＢ２０は、チューナ２、ＯＦＤＭ復調部３、ＭＰＥＧ復調部４、サイドパネル検出部５、サイドパネルカット部６、ＣＰＵ７、映像出力部８を構成しており、モニタ９は別体で構成される。
【００５４】
上記のように構成することによってこの発明は、ハイビジョン放送から疑似１６対９放送を検出し、疑似１６対９放送の場合はサイドパネルの一部（第１の領域）をカットし、一部（第２の領域）を残して表示する。ハイビジョン放送が１６対９放送の場合はサイドパネルをカットすることなく１６対９画面の映像信号を出力する。このように構成したので、視聴者自身が放送を監視し、放送が疑似１６：９放送であるか否かを判断する必要がなくなる。また、現在視聴している放送が擬似１６：９放送であるか否かを容易に確認することが可能となる。このため、視聴者に対して、放送受信装置の利便性を向上させることが可能となる。
【００５５】
なお、この発明は上記した実施の形態そのままに限定されるものではなく、実施段階ではその趣旨を逸脱しない範囲で構成要素を種々変形して具体化することができる。
【図面の簡単な説明】
【００５６】
【図１】この発明の実施の形態を示すもので、放送受信装置の概略を示す図。
【図２】この発明の実施の形態を示すもので、擬似１６：９放送の画面を示す図。
【図３】この発明の実施の形態を示すもので、擬似１６：９放送の画面からサイドパネルの一部をカットし、一部を残した表示画面を示す図。
【図４】この発明の実施の形態を示すもので、擬似１６：９放送を受信している旨を示す表示例を示す図。
【図５】この発明の実施の形態を説明するフローチャート。
【図６】この発明の、他の実施の形態を説明するフローチャート。
【図７】この発明の、他の実施の形態を示すもので、放送受信装置の概略を示す図。
【符号の説明】
【００５７】
１…アンテナ、２…チューナ、３…ＯＦＤＭ復調部、４…ＭＰＥＧ復調部、５…サイドパネル検出部、６…サイドパネルカット部、７…ＣＰＵ、８…映像出力部、９…モニタ、１０…放送受信装置、２０…ＳＴＢ
【図１】
2005065194.tif 000003
【図２】
2005065194.tif 000004
【図３】
2005065194.tif 000005
【図４】
2005065194.tif 000006
【図５】
2005065194.tif 000007
【図６】
2005065194.tif 000008
【図７】
2005065194.tif 000009